(57)【要約】【課題】インタラクティブボード用に好適なスクリーンとして、背面側からの斜め入射の映像光を観測者側へ出射させて映り込みのない画像を表示できるとともに、観測者側のスクリーン面にも手書きの書込みがし易いスクリーンを提供する。【解決手段】本発明によるインタラクティブボード用透過型スクリーンは、入射光側にプリズム部を備えたフレネルレンズシートと、前記フレネルレンズのプリズム部とは反対の面側に設けられた光拡散部材と、前記光拡散部材の出射光側に設けられたハードコート層と、と少なくとも備えてなることを特徴とする。【選択図】図１
2011118333.tif 000002
【特許請求の範囲】
【請求項１】
入射光側にプリズム部を備えたフレネルレンズシートと、前記フレネルレンズのプリズム部とは反対の面側に設けられた光拡散部材と、前記光拡散部材の出射光側に設けられたハードコート層と、を少なくとも備えてなることを特徴とする、インタラクティブボード用透過型スクリーン。
【請求項２】
前記フレネルレンズシートが屈折フレネルレンズ、全反射フレネルレンズ、または屈折フレネルレンズと全反射フレネルレンズとの組合せ、からなる、請求項１に記載のインタラクティブボード用透過型スクリーン。
【請求項３】
前記フレネルレンズシートがサーキュラーフレネルレンズまたはリニアフレネルレンズからなる、請求項１または２に記載のインタラクティブボード用透過型スクリーン。
【請求項４】
前記フレネルレンズシートと前記光拡散部材とが、接着剤層を介して直接張り合わされている、請求項１〜３のいずれか一項に記載のインタラクティブボード用透過型スクリーン。
【請求項５】
前記光拡散部材の一方の面に、直接フレネルレンズ形成されている、請求項１〜３のいずれか一項に記載のインタラクティブボード用透過型スクリーン。
【請求項６】
透明基材の両方の面にそれぞれレンズ部を有するインタラクティブボード用の透過型スクリーンであって、
前記透明基材の一方の面である入射光側に全反射の作用を有するプリズムを垂直方向に並べて配置した全反射型リニアフレネルレンズ部と、
前記全反射型リニアフレネルレンズ部とは透明基材の反対の面側に全反射型リニアフレネルレンズ部の配置方向と直交方向に並べてプリズムを配置したリニアプリズムレンズ部と、
前記リニアプリズムレンズ部の出射光側に設けられた光拡散部材と、
前記光拡散部材の出射光側に設けられたハードコート層と、
を備えてなることを特徴とする、インタラクティブボード用透過型スクリーン。
【請求項７】
前記リニアプリズムレンズ部と前記光拡散部材とが一体化されている、請求項６に記載のインタラクティブボード用透過型スクリーン。
【請求項８】
前記リニアプリズムレンズ部の先端の少なくとも一部を前記透明基材と平行方向に平坦化して、前記光拡散部材と一体化させた、請求項７に記載のインタラクティブボード用透過型スクリーン。
【請求項９】
前記光拡散部材と前記ハードコート層とが、接着剤層を介して張り合わされている、請求項１〜８のいずれか一項に記載のインタラクティブボード用透過型スクリーン。
【請求項１０】
前記光拡散部材の一方の面に、直接ハードコート層形成されている、請求項１〜９のいずれか一項に記載のインタラクティブボード用透過型スクリーン。
【請求項１１】
前記ハードコート層の出射光側に、反射防止層または位置情報検出手段を備える、請求項１〜１０のいずれか一項に記載のインタラクティブボード用透過型スクリーン。
【請求項１２】
請求項６〜１１のいずれか一項に記載のインタラクティブボード用透過型スクリーンの製造方法であって、
ａ）全反射の作用を有するプリズムを垂直方向に並べて配置した全反射型リニアフレネルレンズ部を成形するための金型を準備する工程と、
ｂ）前記リニアプリズムレンズ部を成形するための金型を準備する工程と、
ｃ）透明基材を連続的に前記２つの金型へ供給し、前記透明基材と前記２つの金型の間に電離放射線硬化型樹脂を供給し、前記電離放射線硬化型樹脂に電離放射線を照射し、前記電離放射線硬化型樹脂を硬化させ、２つの金型から離型させる工程と、
を含んでなることを特徴とする、インタラクティブボード用透過型スクリーンの製造方法。
【請求項１３】
請求項１〜１１のいずれか一項に記載の透過型スクリーンからなるインタラクティブボード。
【請求項１４】
請求項１３に記載のインタラクティブボードを備えたインタラクティブボードシステム。
【発明の詳細な説明】
【技術分野】
【０００１】
本発明は、インタラクティブボード用透過型スクリーンに関し、より詳細には、大画面でも短焦点投射でき、薄型化できる、インタラクティブボード用透過型スクリーンに関する。
【背景技術】
【０００２】
近年、ボード上に描いた文字や図形を、そのままパーソナルコンピュータに入力したり、逆にパーソナルコンピュータの画像情報をボード上に投影することができるインタラクティブボードと呼ばれる電子黒板が使用されるようになってきている。例えば、登録実用新案第３０９３２８８号公報（特許文献１）には、パーソナルコンピュータ上で表示される画像をボード上に投影でき、かつ手書きされたボード上の文字や画像をパーソナルコンピュータ上に表示できる、インタラクティブボートが提案されている。
【０００３】
上記の公報に提案されているようなインタラクティブボードにおいては、パーソナルコンピュータからの画像がボードの観測者側から投影されるため、ボードに手書きで文字等の情報を書き加える際に、投影画像が遮られるという問題がある。また、ボードの前面に投影機を設置するための場所が必要となる。
【０００４】
上記の問題を解消するには、インタラクティブボードの背面（すなわち、情報入力面とは反対の面）から画像を投影させればよく、例えば、特開２００３−２７６３３９号公報（特許文献２）には、インタラクティブボードの背面側に投影機を設置して、光透過性のスクリーンの背面から画像を投影させるインタラクティブボードが提案されている。しかしながら、上記公報には、投影機から投影された光を結像させて画像表示を行うスクリーンとしては具体的に示されていない。
【０００５】
ところで、光源部から投射された映像光を観測者側へ出射させて表示する透過型スクリーンが知られている。このような透過型スクリーンとしては、様々な構造のものが提案されており、例えば特開２００７−２３３１５４号公報（特許文献３）には、フレネルレンズとレンチキュラーレンズとを組み合わせた透過型スクリーンが提案されている。また、特開２００４−０７０１８８号公報（特許文献４）には、薄型化するために、全反射を利用したフレネルレンズと光拡散シートとの組み合わせが提案されている。このような透過型スクリーンは、観測者側とは反対側の背面側から映像光を投影して使用されるものであり、観察者側に投影機の設置場所を必要としない。
【先行技術文献】
【特許文献】
【０００６】
【特許文献１】登録実用新案第３０９３２８８号公報
【特許文献２】特開２００３−２７６３９９号公報
【特許文献３】特開２００７−２３３１５４号公報
【特許文献４】特開２００４−０７０１８８号公報
【発明の概要】
【発明が解決しようとする課題】
【０００７】
特開２００７−２３３１５４号公報や特開２００４−０７０１８８号公報において開示されている透過型スクリーンは、観察者側の面に書き込みを行うことができるインタラクティブボートとしての機能を備えたものではなかった。透過型スクリーンをインタラクティブボートとして利用するためには、背面側からの映像光を観測者側へ出射させて映り込みのない画像を表示できるとともに、観測者側のスクリーン面に直接書込みがし易いことが要求される。また、製造コスト等の観点から、連続生産可能な構造であることが要求される。
【０００８】
また、従来のインタラクティブボードは、画像がボードの観測者側から投影されるため、ボードに手書きで文字等の情報を書き加える際に、投影画像が遮られるという問題や、ボードの前面に投影機を設置するための場所が必要となるという問題があった。
【０００９】
本発明者らは、インタラクティブボード用に好適なスクリーンとして、光拡散部材とフレネルレンズとを組み合わせることにより、背面側からの斜め入射の映像光を観測者側へ出射させて映り込みのない画像を表示できるとともに、観測者側のスクリーン面にも手書きの書込みがし易く、かつ連続生産も可能なスクリーンを実現できる、との知見を得た。本発明はかかる知見によるものである。
【００１０】
したがって、本発明の目的は、インタラクティブボード用に好適なスクリーンとして、背面側からの斜め入射の映像光を観測者側へ出射させて映り込みのない画像を表示できるとともに、観測者側のスクリーン面にも手書きの書込みがし易く、且つ連続生産可能な構造のスクリーンを提供することにある。
【課題を解決するための手段】
【００１１】
本発明の第一の態様によるインタラクティブボード用透過型スクリーンは、入射光側にプリズム部を備えたフレネルレンズシートと、前記フレネルレンズのプリズム部とは反対の面側に設けられた光拡散部材と、前記光拡散部材の出射光側に設けられたハードコート層と、を少なくとも備えてなることを特徴とするものである。
【００１２】
また、本発明の第二の態様によるインタラクティブボード用透過型スクリーンは、透明基材の両方の面にそれぞれレンズ部を有するインタラクティブボード用の透過型スクリーンであって、前記透明基材の一方の面である入射光側に全反射の作用を有するプリズムを垂直方向に並べて配置した全反射型リニアフレネルレンズ部と、前記全反射型リニアフレネルレンズ部とは透明基材の反対の面側に全反射型リニアフレネルレンズ部の配置方向と直交方向に並べてプリズムを配置したリニアプリズムレンズ部と、前記リニアプリズムレンズ部の出射光側に設けられた光拡散部材と、前記光拡散部材の出射光側に設けられたハードコート層とを備えてなることを特徴とするものである。
【００１３】
さらに、本発明の別の態様によるインタラクティブボード用透過型スクリーンの製造方法は、上記のインタラクティブボード用透過型スクリーンを製造する方法であって、
ａ）全反射の作用を有するプリズムを垂直方向に並べて配置した全反射型リニアフレネルレンズ部を成形するための金型を準備する工程と、
ｂ）リニアプリズムレンズ部を成形するための金型を準備する工程と、
ｃ）透明基材を連続的に前記２つの金型へ供給し、前記透明基材と前記２つの金型の間に電離放射線硬化型樹脂を供給し、前記電離放射線硬化型樹脂に電離放射線を照射し、前記電離放射線硬化型樹脂を硬化させ、２つの金型から離型させる工程と、
を含んでなることを特徴とするものである。
【００１４】
また、本発明の別の態様においては、上記の透過型スクリーンからなるインタラクティブボードも提供される。
【発明の効果】
【００１５】
本発明によれば、入射光側にプリズム部を備えたフレネルレンズシートと、前記フレネルレンズのプリズム部とは反対の面側に設けられた光拡散部材と、前記光拡散部材の出射光側に設けられたハードコート層とを備えた透過型スクリーンを、インタラクティブボードとして使用することにより、映像光をボードの背面側から入射させることができるため、ボードへの書込みの際に表示画像が遮られることがない。さらに、観測者側にハードコート層が配置されているため、観測者側のボード表面を平滑にすることができ、筆記具等によるボードへの書込みもし易く、かつ書込んだ文字や図形等の消去もし易くなる。
【００１６】
また、本発明の第二の態様によるインタラクティブボード用透過型スクリーンは、全反射型リニアフレネルレンズ部とリニアプリズムレンズ部とが直交配置し、さらにそれらレンズと光拡散部材とが組み合わされ、光拡散部材の出射光側表面にハードコート層が設けられていることにより、背面側からの映像光を観測者側へ出射させて映り込みのない画像を表示できるとともに、観測者側のスクリーン面にも手書きの書込みがし易いスクリーンを実現できる。また、全反射型リニアフレネルレンズ部とリニアプリズムレンズ部を基材フィルムの表裏に直交配置する構造とすることにより、連続生産が可能となり、これにより、安価なインタラクティブボード用透過型スクリーンを提供することができる。さらに、前記リニアプリズムレンズ部と前記光拡散部材とを一体化させることにより、インタラクティブボード用透過型スクリーン全体が一体化し、リニアプリズムレンズ部と光拡散部材との間に隙間が生じたり、透明基材の表裏に形成した前記全反射型リニアフレネルレンズ部とリニアプリズムレンズ部とを有する光学シートが容易に変形して解像度の低下や像のゆがみ等の映像の質を低下させることがなくなる。とりわけ、リニアプリズムレンズ部の先端の少なくとも一部を基材と平行方向に平坦化し、光拡散部材と一体化させることにより、インタラクティブボード用透過型スクリーンを容易に一体化させることができる。
【００１７】
さらに、本発明のインタラクティブボード用透過型スクリーンの製造方法によれば、上記したインタラクティブボード用透過型スクリーンを連続的に生産することができ、製造コスト等を低減することができる。
【００１８】
本発明においては、上記したような透過型スクリーンをインタラクティブボードに適用することにより、画質の優れたインタラクティブボードを実現することができる。
【図面の簡単な説明】
【００１９】
【図１】本発明のインタラクティブボード用透過型スクリーンの一実施態様を示す断面図である。
【図２】本発明のインタラクティブボード用透過型スクリーンの他の実施態様を示す断面図である。
【図３】本発明のインタラクティブボード用透過型スクリーンの他の実施態様を示す断面図である。
【図４】スクリーンを構成するフレネルレンズの断面形状を示したものである。
【図５】フレネルレンズの一部のレンズ部分の断面形状を拡大したものである。
【図６】フレネルレンズの一部のレンズ部分の断面形状を拡大したものである。
【図７】フレネルレンズの一部のレンズ部分の断面形状を拡大したものである。
【図８】サーキュラーフレネルレンズを用いたインタラクティブボード用透過型スクリーンを示す概略図である。
【図９】リニアフレネルレンズを用いたインタラクティブボード用透過型スクリーンを示す概略図である。
【図１０】スクリーンを構成する光拡散部材の断面形状を示したものである。
【図１１】スクリーンを構成する他の態様の光拡散部材の断面形状を示したものである。
【図１２】スクリーンを構成する他の態様の光拡散部材の断面形状を示したものである。
【図１３】図１２に示した光拡散部材と水平方向視野角拡大部材との組み合わせにおける光学作用を説明するための模式図である。
【図１４】本発明の第二の態様によるインタラクティブボード用透過型スクリーンの斜視図を示したものである。
【図１５】全反射型リニアフレネルレンズ部の光学作用を説明するための模式図である。
【図１６】リニアプリズム部の光学作用を説明するための模式図である。
【図１７】本発明によるインタラクティブボード用透過型スクリーンの一実施態様を示す断面図である。
【図１８】図１８（ａ）は全反射型リニアフレネルレンズ部を成形するための金型の一実施態様を示す斜視図であり、図１８（ｂ）は、リニアプリズムレンズ部を成形するための金型の一実施態様を示す斜視図である。
【図１９】本発明の第二の実施態様によるインタラクティブボード用透過型スクリーンの製造方法の一部を説明するための概略図である。
【図２０】本発明による透過型スクリーンを用いたインタラクティブボードの断面図を示すものである。
【図２１】本発明による透過型スクリーンを用いた他の態様のインタラクティブボードの断面図を示すものである。
【発明を実施するための形態】
【００２０】
＜第一の態様によるインタラクティブボード用透過型スクリーン＞
本発明の第一の態様によるインタラクティブボード用透過型スクリーンは、図１に示すように、入射光側にプリズム部４を備えたフレネルレンズシート１と、フレネルレンズ１のプリズム部４とは反対の面側に設けられた光拡散部材２と、光拡散部材２の出射光側に設けられたハードコート層３と、を少なくとも備えてなるものであり、スクリーン（ボード）の背面側から映像光を照射し、スクリーンの前面から映像光を出光させるものである。このようにインタラクティブボードに透過型スクリーンを適用することにより、映像光をボードの背面側から入射させることができるため、ボードへの書込みの際に表示画像が遮られることがなくなる。
【００２１】
フレネルレンズシート１は、図１に示すように、光拡散部材２の一方の面上に直接形成されていてもよく、また、図２に示すように、フレネルレンズシート１と光拡散部材２とが、接着剤層５を介して張り合わされていてもよい。また、ハードコート層３は、図１に示すように、光拡散部材２の一方の面上に直接形成されていてもよく、また、図３に示されるように、光拡散部材２とハードコート層３とが、接着剤層５を介して張り合わされていてもよい。
【００２２】
以下、本発明の第一の態様によるインタラクティブボード用透過型スクリーンを構成する各部材について説明する。
＜フレネルレンズシート＞
フレネルレンズシートは、投影機からの照射された映像光を、ボード面に対して略平行な光に変換するものである。インタラクティブボートのスクリーンとして、フレネルレンズシートを適用することにより、インタラクティブボード上に投影される画像の面均一性が向上する。
【００２３】
フレネルレンズシートは、背面側から照射された映像光を集光してスクリーン上に結像させる機能を有するものである。フレネルレンズシートとしては、従来公知のものを使用できるが、屈折型のフレネルレンズを使用するよりも、ハイブリッド型や全反射型のフレネルレンズを使用することにより、スクリーンから投影機までの距離を短くすることができ、インタラクティブボードをよりコンパクトなものとすることができる。図４は、ハイブリッド型フレネルレンズのフレネルレンズ部４の断面形状を示した図である。スクリーン下側（フレネル中心側）からスクリーン上側（フレネル周縁側）に向って、フレネルレンズ部４はその断面形状によって領域４Ａ，４Ｂ，４Ｃの３つの領域に分けることができる。まず基本的な形態として、領域４Ａについて説明する。
【００２４】
領域４Ａにおける単位プリズム部（ハイブリッド型プリズム部）は、入射面（第２入射面）Ａ１および全反射面Ａ２を有し、頂角が３８°の全反射型プリズム部Ｌ３と、入射面（第１入射面）Ａ３および無効面Ａ４を有する屈折型プリズム部Ｌ１とを備えている。この単位プリズム部とは、隣接する単位プリズム部の無効面Ａ４と全反射面Ａ２との交線である谷線Ｔから隣の谷線Ｔまでの間を指しており、単位プリズム部のピッチＰ＝０．０５ｍｍとなっている。なお、このピッチＰ＝０．０５ｍｍは、他の領域４Ｂ，４Ｃの単位プリズム部も同じ値となっている。
【００２５】
図５〜図７は全反射型プリズム部Ｌ３と屈折型プリズム部Ｌ１とを説明するための図である。図５は、屈折型プリズム部Ｌ１と同等な形状の単位プリズム部のみが形成されたフレネルレンズ（屈折型プリズム部を備えた従来のフレネルレンズ）を示している。入射面Ａ３に投影される光束Ｒ１は、入射面Ａ３によって屈折して所望の方向に出光する。しかし、無効面Ａ４に投影される光束Ｒ２は、無効面Ａ４によって反射または屈折して、迷光となってしまう。
【００２６】
図６は、全反射型プリズム部Ｌ３と同等な形状の単位プリズム部のみが形成されたフレネルレンズ（全反射型プリズム部を備えた従来のフレネルレンズ）を示している。入射面Ａ１に投影される光束のうちで光束Ｒ３は、全反射面Ａ２によって全反射して所望の方向に出光する。しかし、残りの光束Ｒ４は、全反射面Ａ２に到達することができず、迷光となってしまう。
【００２７】
図７は、上記した実施形態におけるフレネルレンズ部４を示している。フレネルレンズ部４では、全反射型プリズム部Ｌ３および屈折型プリズム部Ｌ１のみで形成された図５および図６に示したフレネルレンズが所望の方向（本実施形態の場合は、フレネルレンズ部に略垂直な方向）へ出光できない光束の一部を、所望の方向に出光できるように、全反射型プリズム部Ｌ３および屈折型プリズム部Ｌ１を組み合わせた形状を単位プリズム部としている。
【００２８】
具体的には、全反射型プリズム部Ｌ３において全反射面Ａ２に到達しない光束Ｒ４が投影される部分に屈折型プリズム部Ｌ１が配置されている。したがって、フレネルレンズ部は、光束Ｒ４の一部を屈折して所望の方向に偏向して出光するようになっている。この配置は、別の見方をすると、屈折型プリズム部Ｌ１において無効面Ａ４に投影される光束Ｒ２の光路上に、フレネル中心側の隣接ピッチの全反射型プリズム部Ｌ３が配置されているとも見ることができる。したがって、フレネルレンズ部は、光束Ｒ２の一部を全反射して所望の方向に偏向して出光するようになっている。すなわち、全反射型プリズム部Ｌ３および屈折型プリズム部Ｌ１各々の短所を補うことができるような位置にそれぞれが配置されている。
【００２９】
また、図４の領域４Ｂの１ピッチにおいて、入射面Ａ３を延長した面が周辺側の谷線Ｔを通り、入射面Ａ１を延長した面がフレネル中心側の谷線Ｔを通るように、全反射型プリズム部Ｌ３および屈折型プリズム部Ｌ１が配置されている。
【００３０】
このフレネルレンズ部を含むレンズシートを５０インチ程度の大型のレンズシートとした場合、さらには、斜め方向から画像光が投影される場合、フレネルレンズ部の入射位置によって画像光の入射角度の差が大きくなる。全反射型プリズム部Ｌ３は、入射角が大きい場合に所望の方向に出光する光束が多くなり、逆に屈折型プリズム部Ｌ１は、入射角が小さい場合に所望の方向に出光する光束が多くなる。したがって、入射角が大きい入射位置には全反射型プリズム部Ｌ３が、入射角が小さい入射位置には屈折型プリズム部Ｌ１がそれぞれ適している。
【００３１】
そこで、図４に示すように、フレネルレンズ部の、スクリーン下側（画像光源に近い側）になる領域４Ａでは、屈折型プリズム部Ｌ１を主単位プリズム部、全反射型プリズム部Ｌ３を副単位プリズム部として、屈折型プリズム部Ｌ１の占める割合よりも、全反射型プリズム部Ｌ３の占める割合を少なくしている。一方、スクリーン上側（画像光源から遠い側）になる領域４Ｃでは、全反射型プリズム部Ｌ３を主単位プリズム部、屈折型プリズム部Ｌ１を副単位プリズム部として、全反射型プリズム部Ｌ３の占める割合よりも、屈折型プリズム部Ｌ１の占める割合を少なくしている。
【００３２】
ここで、全反射型プリズム部Ｌ３および屈折型プリズム部Ｌ１が占める割合を変化させるには、国際公開ＷＯ２００２−０２７３９９号に記載されているように、レンズ成形型を切削するバイトの切り込み深さを位置により変化させて、全反射型プリズム部Ｌ３および屈折型プリズム部Ｌ１の高さが変わるようにして行うことができる。なお、上記文献は引用されることにより、本明細書の開示の一部とされる。
【００３３】
上記の説明においては、フレネルレンズ部４が３種類の領域４Ａ，４Ｂ，４Ｃを備えている例を示したが、この実施形態に限らず、これらの組み合わせを適宜変更しても良い。例えば、領域４Ａおよび領域４Ｂのみでも良いし、領城４Ａ，４Ｂ，４Ｃのいずれか１つの領域であっても良い。
【００３４】
全反射型プリズム部、屈折型プリズム部をそれぞれ主単位プリズム部、副単位プリズム部とした場合を例としたが、この実施形態に限定されず、屈折型プリズム部、全反射型プリズム部をそれぞれ主単位プリズム部、副単位プリズム部とした場合にも適用することが可能である。
【００３５】
以上、単位プリズム部４を並べて配置したフレネルレンズを説明したが、フレネルレンズ部は、図８に示すように、同心円状に単位プリズム部を配置したサーキュラータイプのフレネルレンズであってもよく、また、図９に示すように、レンズ部が水平方向（あるいは垂直方向）に連続するリニアフレネルレンズであってもよい。
【００３６】
フレネルレンズシートを従来公知の方法により作製し、透過型スクリーンを製造する際に組み込んでもよく、また、後記する光拡散部材の基材２５に成形して直接フレネルレンズを形成してもよい。
【００３７】
＜光拡散部材＞
本発明において光拡散部材は、図１に示すように、フレネルレンズシート３とハードコート層３との間に設けられるものであり、フレネルレンズシートを透過した映像光を拡散させて、スクリーン（ボード）の視認性を向上させる機能を有するものである。光拡散部材としては、スクリーン分野において従来公知のものを使用することができるが、インタラクティブボートとした場合のボードへの書き込み等を考慮すると、光拡散部材がある程度の剛性を有している必要がある。光拡散部材の層構成としては、例えば、図１０に示すように、後記するような樹脂からなる基材２１中に微粒子２２を添加したものや、図１１に示すように、微粒子２２を含む基材２１からなる拡散層２０と、微粒子を含まない基材２１’とを積層したものを好適に使用することができる。また、上記したように光拡散部材の剛性を高めるために、拡散層とフィルム基材とを積層したシートをガラス基材等に貼り合わせた構成としてもよい。このような層構成を有する光拡散部材は、押出し成型により成形した拡散層を後記するような接着剤層を介して基材と積層することにより得ることができる。
【００３８】
光拡散部材に使用する基材の厚さは、上記したように部材の剛性を考慮して適宜選択できる。インタラクティブボードの画面大きさにもよるが、画面サイズが８０インチ程度の場合には、図１０に示した層構成の光拡散部材では、基材２１の厚みが８〜１０ｍｍであることが好ましい。また、図１１に示した層構成の光拡散部材とする場合、拡散層２０の厚みを１ｍｍ程度とし、基材２１’の厚みを７〜９ｍｍとすることが好ましい。なお、図１１に示すように、二層からなる光拡散部材を用いる場合、拡散層２０の基材２１よりも、微粒子を含まない基材２１’の厚みを厚くした方が、より鮮明な画像とすることができる。また、拡散層とフィルム基材とを積層したシートをガラス基材に貼り合わせた構成とする場合、ガラス基材の厚みを４〜６ｍｍとし、拡散層とフィルム基材とを積層したシートの厚みを数百μｍとすることができる。
【００３９】
基材２１（２１’）としては、光透過性の樹脂、例えば、アクリル系樹脂、ポリウレタン系樹脂、ポリエステル系樹脂、ポリ塩化ビニル系樹脂、ポリ酢酸ビニル系樹脂、セルロース系樹脂、ポリアミド系樹脂、フッ素系樹脂、ポリプロピレン系樹脂、ポリスチレン系樹脂、スチレン−アクリル系樹脂や、透明なガラスを好適に使用できる。図１０に示すような層構成の光拡散部材とする場合には、上記した樹脂を溶融押出機により押出成形する際に、後記する微粒子を所定量添加することにより、微粒子を含有した基材を得ることができる。また、図１１に示すような二層からなる光拡散部材とする場合には、基材シートとして、透明樹脂フィルム、透明樹脂板、透明樹脂シートや透明ガラスを用いることができる。透明樹脂フィルムとしては、トリアセテートセルロース（ＴＡＣ）フィルム、ポリエチレンテレフタレート（ＰＥＴ）フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できる。
【００４０】
微粒子２２としては、プラスチックビーズ等の有機フィラーが好適であり、特に透明度が高いものを使用することが好ましい。このようなプラスチックビーズとしては、メラミンビーズ（屈折率１．５７）、アクリルビーズ（屈折率１．４９）、アクリル−スチレンビーズ（屈折率１．５４）、ポリカーボネートビーズ、ポリエチレンビーズ、ポリスチレンビーズ、塩ビビーズ、シリコン系ビーズ（屈折率１．４１）等が挙げられるが、図１０に示すような層構成とする場合には、基材と微粒子との屈折率差を考慮して、微粒子を適宜選定する必要がある。例えば、基材として、メチルメタクリレート−スチレン樹脂（屈折率約１．５５）や、メチルメタクリレート−ブタジエン−スチレン樹脂（屈折率約１．５５）を用いる場合、微粒子としてアクリルビーズやシリコン系ビーズを好適に使用することができる。プラスチックビーズの粒径は、特に限定されるものではないが、通常、１〜１５μｍ程度のものが用いられる。また、シリコン系ビーズを用いる場合は、粒径０．５〜５μｍ程度のものが用いられる。
【００４１】
有機フィラーとして微粒子２２を基材２１中に混合する場合は、基材を構成する樹脂中で有機フィラーが沈降し易いので、沈降防止のためにシリカ等の無機フィラーを添加してもよい。なお、無機フィラーは添加すればする程有機フィラーの沈降防止に有効であるが、塗膜の透明性に悪影響を与える。従って、好ましくは、粒径０．５μｍ以下の無機フィラーを、有機フィラー（微粒子２２）に対して塗膜の透明性を損なわない程度に、０．１重量％未満程度含ませると沈降を防止することができる。
【００４２】
光拡散部材としては、図１０および図１１に示した構造のものだけでなく、図１２に示すように、基材２１中に微粒子２２を添加した部材と、レンズ基材２５上に光透過部２３と光吸収部２４とを設けた構造の水平方向視野角拡大部材とを組み合わせて用いてもよい。
水平方向視野角拡大部材における光透過部２３は、ポリエチレンテレフタレート等からなるレンズ基材２５上に、従来公知のＵＶ成形方法等により形成される。光吸収部２４は、略台形状の光透過部２３の間に、楔形に成形されて設けられる。この光吸収部は、光透過性の樹脂２６に、その表面を光吸収加工した粒子２７を混合し、楔形に硬化させたものである。また、光吸収加工した粒子２７に、光吸収作用を有する染料や顔料等を追加混合し硬化させたり、光吸収加工した粒子２７を用いずに、光吸収作用を有する染料や顔料等を光透過性樹脂２６に混合し硬化させたものであってもよい。光透過性樹脂としては、従来公知の電離放射線硬化性樹脂等を好適に使用できる。水平方向視野角拡大部材は、光透過部２３、光吸収部２４の界面の反射作用を有する形態とすることで、映像光の拡散作用を増加させることができる。図１３は、図１２に示した光拡散部材と水平方向視野角拡大部材との組み合わせにおける光学作用を示したものである。光透過部２３と光吸収部２４との界面に当たらない映像光Ｌ２２は直進し、光透過部２３と光吸収部２４との界面に当たる映像光Ｌ２１は反射し、これによって光拡散作用を発揮することができる。また、外光の一部Ｌ２３は、光吸収部２４で吸収され、それによって外光によるコントラストの低下を防止することができる。
【００４３】
また、視野角を広げ、斜め方向からの映像光を反射させるため、水平方向視野角拡大部材の光透過部２３の屈折率を光吸収部２４よりも高くしてもよい。さらに、微粒子２２を含む基材２１からなる拡散層２０と微粒子を含まない基材２１’とを積層した部材と、上記した水平方向視野角拡大部材とを組み合わせてもよい。図１０や図１１に示した光拡散部材に水平方向視野角拡大部材を組み入れることにより、スクリーンへの外光の映り込みが無く視認性に優れ、コントラストが良好でシャープ感のある画像を実現することができる。また、光拡散部材に着色剤を添加することにより、スクリーンの透過率は低下するものの、画像のコントラストを向上させることができる。
【００４４】
＜ハードコート層＞
本実施態様において、ハードコート層は、スクリーンの出射光側（スクリーンの前面側）に設けられるものであり、スクリーンの表面の耐擦過性を向上させるとともに、スクリーン自体を平滑化するものである。インタラクティブボードに本発明による透過型スクリーンを適用した場合、出射光側であるスクリーン前面側は、筆記具等により文字や図形等の画像が描写されるスクリーンでもあるため、スクリーン自体に耐擦過性が求められる。また、筆記具で文字等が描き易いように、スクリーン自体の平滑性も必要である。本発明においては、ハードコート層を設けることにより、上記の２点の課題を解決している。
【００４５】
ハードコート層は、スクリーン分野において従来公知のものを適用することができ、例えば、紫外線・電子線によって硬化する樹脂、即ち、電離放射線硬化型樹脂、電離放射線硬化型樹脂に熱可塑性樹脂と溶剤を混合したもの、および熱硬化型樹脂を用いることができるが、これらの中でも電離放射線硬化型樹脂が特に好ましい。
【００４６】
電離放射線硬化型樹脂組成物の被膜形成成分は、好ましくは、アクリレート系の官能基を有するもの、例えば比較的低分子量のポリエステル樹脂、ポリエーテル樹脂、アクリル樹脂、エポキシ樹脂、ウレタン樹脂、アルキッド樹脂、スピロアセタール樹脂、ポリブタジェン樹脂、ポリチオールポリエン樹脂、多価アルコール等の多官能化合物の（メタ）アルリレート等のオリゴマー又はプレポリマー及び反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、ポリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を比較的多量に含有するものが使用できる。
【００４７】
上記電離放射線硬化型樹脂組成物を紫外線硬化型樹脂組成物とするには、この中に光重合開始剤としてアセトフェノン類、ベンゾフェノン類、ミヒラーベンゾイルベンゾエート、α−アミロキシムエステル、テトラメチルチュウラムモノサルファイド、チオキサントン類や、光増感剤としてｎ−ブチルアミン、トリエチルアミン、ポリ−ｎ−ブチルホソフィン等を混合して用いることができる。特に本発明では、オリゴマーとしてウレタンアクリレート、モノマーとしてジペンタエリスリトールヘキサ（メタ）アクリレート等を混合するのが好ましい。
【００４８】
電離放射線硬化型樹脂組成物の硬化方法としては、前記電離放射線硬化型樹脂組成物の硬化方法は通常の硬化方法、即ち、電子線又は紫外線の照射によって硬化することができる。
【００４９】
例えば、電子線硬化の場合には、コックロフトワルトン型、バンデグラフ型、共振変圧型、絶縁コア変圧器型、直線型、ダイナミトロン型、高周波型等の各種電子線加速機から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等が利用できる。
【００５０】
ハードコート層は、基材上に上記電離放射（紫外線）線硬化型樹脂組成物の塗工液をスピンコート、ダイコート、ディップコート、バーコート、フローコート、ロールコート、グラビアコート等の方法で塗布し、上記のような手段で塗工液を硬化させることにより形成することができる。また、上記した光拡散部材上に直接塗工液を塗布して硬化させることにより、ハードコート層を形成してもよい。
【００５１】
ハードコート層は防眩機能を有していてもよい。防眩機能を付与するためには、ハードコート層中に、シリカなどの無機フィラーを添加したり、直径数μｍ程度のポリスチレン樹脂やアクリル樹脂等のビーズを分散させることにより、外光を乱反射する微細凹凸を基材表面に形成する。基材にフィラー等を直接添加する以外にも、透明樹脂バインダーに無機フィラー等を添加して塗膜形成したものを基材上に設けてもよい。この場合、使用する透明樹脂バインダーは、電子放射線硬化性樹脂等を好適に使用できる。また、ハードコート層を形成する際に、その表面が微細凹凸となるように賦型してもよい。例えば、基材上に上記電離放射（紫外線）線硬化型樹脂組成物の塗工液を塗布した後、表面に微細凹凸が設けられたロール状の金型により、塗布膜の表面を微細凹凸が形成されるように賦型しながら樹脂の硬化を行うことにより、表面に微細凹凸が設けられたハードコート層を形成することができる。
【００５２】
＜接着剤層＞
上記したように、フレネルレンズシート１と光拡散部材２とハードコート層３とが直接互いが接した積層構造としてもよいが、図２および図３に示すように、各層が接着剤層を介して積層されていてもよい。接着剤層としては、従来公知の感圧粘着剤やＵＶ硬化型粘着剤を使用することができ、例えば、アクリル酸エステル系の粘着剤、ウレタンアクリレート系粘着剤、エポキシアクリレート系粘着剤等が挙げられる。上記した粘着剤のなかでも、各層ないし部材の屈折率と同程度の屈折率を有する粘着剤を用いることにより、界面で生じる反射を抑制することができる。粘着剤との組合せにおいては、接着しようとする層（部材）と接着剤層との屈折率差が０．１以下となるように、適宜、両者を選択することが好ましい。
【００５３】
上記した粘着剤を、転写印刷、ナイフコーター、ロールコーター、コンマコーター、グラビアコーター等の通常使用されている塗布方法により、各層（ないし部材）に塗布して、赤外線、熱風、蒸気等により加熱乾燥することにより、接着剤層を介して各層を積層させたり、あるいは各層（ないし部材）に塗布し、紫外線の照射により粘着剤を硬化させることにより、接着剤層を介して各層を積層することができる。
【００５４】
＜その他の層および手段＞
本発明においては、ハードコート層の出射光側に、反射防止層や位置情報検出手段をさらに設けてもよい。
反射防止層は、高屈折率層と低屈折率層が順に積層されたものが一般的であるが、これ以外の積層構造を持つものもある。高屈折率層は、例えば、ＺｎＯやＴｉＯ２の素材の薄膜、もしくはこれらの素材の微粒子が分散した透明樹脂膜である。また、低屈折率層は、ＳｉＯ２からなる薄膜、もしくはＳｉＯ２ゲル膜、または、フッ素含有の、もしくはフッ素およびケイ素含有の透明樹脂膜である。反射防止層が積層されたことにより、積層された側の外光等の不要な光の反射を低下させ、画像もしくは映像のコントラストを高めることができる。
【００５５】
あるいは、低屈折率成分と高屈折成分とをそれぞれ交互に、蒸着やスパッタ等の乾式法、あるいは塗工等の湿式法により、ハードコート層上に積層することにより形成できる。また、シートないしフィルムに反射防止膜を形成したものをハードコート層上に設けてもよい。
【００５６】
スクリーンには位置情報検出手段を設けてもよい。例えば、従来公知のタッチセンサー等をハードコート層と光拡散部材との間に設けることができる。位置情報検出手段を備えることにより、インタラクティブボードに適用した場合に、パーソナルコンピュータから投影される画像情報とスクリーン（ボード）上に書き込まれた文字や図形情報とを双方向にやりとりできるようになる。タッチセンサーとしては、抵抗膜方式、静電容量方式、超音波方式、電磁誘導方式、赤外線方式、画像認識方式等の公知の方式を採用することができる。一例として赤外線方式を採用する場合、例えば、スクリーン（ボード）の背面側（即ち、投影光源側）に、スクリーンの背面に赤外光を投影する赤外光源と、その赤外光を検出可能な赤外光検出器とを設置しておくことにより、ボード上に書き込まれた文字や図形等の位置情報を検出して、画像情報装置へ伝送することができる。その結果、パーソナルコンピュータ等の画像情報装置からの画像情報と、インタラクティブボード上に書き込まれた文字等の情報とを双方向でやりとりすることができる。
【００５７】
＜第二の態様によるインタラクティブボード用透過型スクリーン＞
図１４は、本発明の第二の態様によるインタラクティブボード用透過型スクリーンの斜視図を示したものである。
図１４に示すように、本実施態様のインタラクティブボード用透過型スクリーン１０は、透明基材３２の両方の面にそれぞれレンズ部３１，３３を有するインタラクティブボード用の透過型スクリーンであって、前記透明基材３２の一方の面である入射光側に全反射の作用を有するプリズムを垂直方向に並べて配置した全反射型リニアフレネルレンズ部３１と、前記全反射型リニアフレネルレンズ部３１が配置された透明基材３２の反対の面側に全反射型リニアフレネルレンズ部３１の配置方向と直交方向に並べてプリズムを配置したリニアプリズムレンズ部３３と、前記リニアプリズムレンズ部３３の出射光側に設けられた光拡散部材３４と、前記光拡散部材３４の出射光側に設けられたハードコート層３５とを、を少なくとも備えている。
【００５８】
インタラクティブボード用透過型スクリーン１０は、上記した第一の実施態様によるインタラクティブボード用透過型スクリーンと同様に、インタラクティブボード用透過型スクリーン１０の背面側から投影機から映像光を照射し、インタラクティブボード用透過型スクリーン１０の前面から映像光を出光させるものである。このようにインタラクティブボード用透過型スクリーンを適用することにより、映像光をインタラクティブボード透過型スクリーン１０の背面側から入射させることができるため、インタラクティブボードへの書込みの際に表示画像が遮られることがなくなる。
【００５９】
以下、本発明の第二の態様によるインタラクティブボード用透過型スクリーンを構成する各部材について説明する。
＜全反射型リニアフレネルレンズ部＞
入射光側に全反射の作用を有するプリズムを垂直方向に配置した全反射型リニアフレネルレンズ部３１は、図１５に示すように、投影機から拡大投射される映像光Ｌ１を、全反射型リニアフレネルレンズ部３１のプリズムの第１の面３１ａで屈折し、全反射型リニアフレネルレンズ部３１の第２の面３１ｂで全反射させて、インタラクティブボード用透過型スクリーンの略垂直方向へ映像光を偏向させる機能を有する。
【００６０】
本実施態様においては、全反射型リニアフレネルレンズ部３１は、水平方向へ伸び垂直方向に配置されているので、拡大投射される映像光を主に垂直方向に関して集光させるものである。また、図１５（透明基材２２よりも出射側の層の記載は省略）に示すように、全反射型リニアフレネルレンズ部３１は、第１の面３１ａと第２の面３１ｂを有し、その頂角はα１で、第１の面３１ａの斜面角度はα２で、第２の面３１ｂの斜面角度はα３で、全反射型リニアフレネルレンズ部３１の出射側（観察者側）に透明基材３２を有する。α１、α２、α３、の３つの角度は、拡大投射される光学条件と、全反射型リニアフレネルレンズの成形性を考慮して、適宜、設定される。入射光側のレンズ部として、全反射型リニアフレネルレンズ部３１について説明したが、本発明においては、全反射型リニアフレネルレンズ部に代えて、上記したような、全反射作用を有するプリズムと屈折作用を有するプリズムとを両方備えたハイブリッド型のリニアフレネルレンズ部を用いてもよい。
【００６１】
＜リニアプリズムレンズ部＞
リニアプリズム部３３は、上記した全反射型リニアフレネルレンズ部３１とは透明基材３２の反対の面側に全反射型リニアフレネルレンズ部３１の配置方向と直交方向にプリズムを並べて配置したものである。図１６に、リニアプリズム部の拡大断面図を示す。図１６に示すように、リニアプリズム部３３は、投影機から拡大投射される映像光Ｌ１１、Ｌ１２を、リニアプリズム部３３のプリズムの第１の面３３ａで屈折させて、インタラクティブボード用透過型スクリーンの略垂直方向へ映像光を偏向させる機能を有する。リニアプリズム部３３は、全反射型リニアフレネルレンズ部３１とプリズムの向きが直交配置され、垂直方向へ伸び水平方向に配置されているので、拡大投射される映像光を主に水平方向に関して集光させることができる。上記した全反射型リニアフレネルレンズ部と、直交方向に配置されるリニアプリズム部との組み合わせにより、映像光が垂直方向と水平方向に集光され、インタラクティブボードの正面にいる利用者へ、映像光の明るさ分布の良い、良好な映像を提供できる。
【００６２】
次に、このリニアプリズム部の光学作用について、図１６を参照しながら説明する。リニアプリズム部３３は、透明基材３２の出射側に配置され、プリズムは第１の面３３ａと立ち上がり面である第２の面３３ｂを有し、そのプリズム角はβ１で、立ち上がり面である第２の面３３ｂの斜面角度はβ２である。β１、β２、の２つの角度は、拡大投射される光学条件と、リニアプリズム部の成形性を考慮して、適宜、設定される。
【００６３】
リニアプリズム部３３より出射側に配置される光拡散部材３４（図示せず）と、透明基材３２の一方の面である入射光側に配置した全反射型リニアフレネルレンズ部３１と、透明基材３２の反対面側に配置したリニアプリズムレンズ部３３とを、一体化させるために、リニアプリズムレンズ部３３のプリズムの頂部３３ｃを加工し平坦面３３ｄとしても良い。本実施態様においては、全反射型リニアフレネルレンズ部３１やリニアプリズム部３３を成形する時に、透明基材を利用し、両面をそれぞれの形状に形成することができるが、透明基材は適宜省略しても良い。透明基材を省略する場合、両面それぞれの光学形状を有する部分（レンズ部やプリズム部）を除いた基部を透明基材に相当するものと考えることができる。
【００６４】
透明基材としては、透明基材としては、透明樹脂フィルム、透明樹脂板、透明樹脂シートを用いることができる。透明樹脂フィルムとしては、トリアセテートセルロース（ＴＡＣ）フィルム、ポリエチレンテレフタレート（ＰＥＴ）フィルム、ジアセチルセルロースフィルム、アセテートブチレートセルロースフィルム、ポリエーテルサルホンフィルム、ポリアクリル系樹脂フィルム、ポリウレタン系樹脂フィルム、ポリエステルフィルム、ポリカーボネートフィルム、ポリスルホンフィルム、ポリエーテルフィルム、ポリメチルペンテンフィルム、ポリエーテルケトンフィルム、（メタ）アクリルロニトリルフィルム等を好適に使用できる。基材の厚さは適宜選択でき、通常２５〜５００μｍ程度である。
【００６５】
＜光拡散部材＞
光拡散部材は、リニアプリズム部３３を透過した映像光を拡散させて、スクリーン（ボード）の視認性を向上させる機能を有するものである。光拡散部材としては、スクリーン分野において従来公知のものを使用することができる。本実施態様によるインタラクティブボードに透過型スクリーンにおいては、光拡散部材として、本発明の第一の実施態様と同様のものを用いることが好ましい。
【００６６】
リニアプリズム部３３と光拡散部材３４とは、本発明の第一の実施態様と同様に、互いが接した積層構造としてもよく、また、各層が接着剤層を介して積層されていてもよい。接着剤層としては、上記した本発明の第一の実施態様と同様のものを用いることができる。接着剤層を介してリニアプリズム部と光拡散部材とを積層する場合、図１６に示したように、リニアプリズム部３３のプリズムの頂部３３ｃを加工し、拡大投影される映像光Ｌ１１，Ｌ１２が通過しない領域に、平坦面３３ｄを設ける。このリニアプリズム部３３のプリズムの平坦面３３ｄの表面を接合層３６とし、光拡散部材３４と一体化することができる。図１７に示すように、各部材を一体化構造とすることにより、映像光のロスがなく、明るく、良質な映像を提供できるようになる。さらに、インタラクティブボード用透過型スクリーンが一体化されるので、２枚の光学シートを積層させたインタラクティブボード用透過型スクリーンで問題となる、光学シート間に発生する隙間や傷の発生等による映像品質の低下の問題を解消することができる。
【００６７】
＜ハードコート層＞
本実施態様において、ハードコート層３５は、図１７に示されるように、スクリーンの出射光側（スクリーンの前面側）に設けられるものであり、スクリーンの表面の耐擦過性を向上させるとともに、スクリーン自体を平滑化するものである。インタラクティブボードに本発明による透過型スクリーンを適用した場合、出射光側であるスクリーン前面側は、筆記具等により文字や図形等の画像が描写されるスクリーンでもあるため、スクリーン自体に耐擦過性が求められる。また、筆記具で文字等が描き易いように、スクリーン自体の平滑性も必要である。本発明においては、ハードコート層を設けることにより、上記の２点の課題を解決している。本実施態様によるインタラクティブボードに透過型スクリーンにおいては、ハードコート層として、本発明の第一の実施態様と同様のものを用いることが好ましい。
【００６８】
＜その他の層および手段＞
本実施態様においては、ハードコート層の出射光側に、反射防止層や位置情報検出手段をさらに設けてもよく、これら反射防止層や位置情報検出手段としては、本発明の第一の実施態様によるインタラクティブボードに透過型スクリーンと同様のものを使用することができる。
【００６９】
＜インタラクティブボード用透過型スクリーンの製造方法＞
本発明によるインタラクティブボード用透過型スクリーンの製造方法は、ａ）全反射の作用を有するプリズムを垂直方向に並べて配置した全反射型リニアフレネルレンズ部を成形するための金型を準備する工程と、ｂ）リニアプリズムレンズ部を成形するための金型を準備する工程と、ｃ）透明基材を連続的に前記２つの金型へ供給し、前記透明基材と前記２つの金型の間に光硬化性樹脂を供給し、前記光硬化性樹脂に光を照射し、前記光硬化性樹脂を硬化させ、２つの金型から離型させる工程とを含む。先ず、全反射の作用を有するプリズムを垂直方向に並べて配置した全反射型リニアフレネルレンズ部を成形するための金型、リニアプリズムレンズ部を成形するための金型を説明する。
【００７０】
図１８（ａ）はプリズム形状がロール金型の円周方向に形成された金型であり、全反射の作用を有するプリズムを垂直方向に並べて配置した全反射型リニアフレネルレンズ部を成形するための金型５１とすることができる。また、図１８（ｂ）はプリズム形状がロール金型の軸方向に形成られた金型であり、リニアプリズムレンズ部を成形するための金型５２とすることができる。
【００７１】
上記例とは逆に、全反射の作用を有するプリズムを垂直方向に並べて配置した全反射型リニアフレネルレンズ部を図１８（ｂ）の形態とし、リニアプリズムレンズ部を成形するための金型を図１８（ａ）の形態としてもよい。
【００７２】
図１９は、本発明の第二の実施態様によるインタラクティブボード用透過型スクリーンを構成する透明基材の一方の面に配置した全反射型リニアフレネルレンズ部と、透明基材の反対側の面に側に配置したリニアプリズムレンズ部とを有する光学シートの製造方法の一例を示す概略図である。先ず、２種類の金型５１，５２を準備する。次に、透明基材２２を連続的に２つの金型５１，５２へ供給する。透明基材２２を金型５１へ通す前に、流動性のある電離放射線硬化型樹脂を供給装置７１より供給する。金型５１とそのバックアップロール６１の間で、電離放射線硬化型樹脂を金型形状に流動させ電離放射線照射装置８１で硬化させ、その後離型する。
【００７３】
次に、透明基材２２を金型５２へ供給する。金型５２へ通す前に、流動性のある電離放射線硬化型樹脂を供給装置７２より供給する。金型５２とそのバックアップロール６２の間で、電離放射線硬化型樹脂を金型形状に流動させ電離放射線照射装置８２で硬化させ、その後離型する。
【００７４】
上記のようにして、透明基材の一方の面である入射光側に全反射の作用を有するプリズムを垂直方向に並べて配置した全反射型リニアフレネルレンズ部と、前記全反射型リニアフレネルレンズ部とは透明基材の反対の面側に全反射型リニアフレネルレンズ部の配置方向と直交方向に並べてプリズムを配置したリニアプリズムレンズ部とを有する光学シートを成形することができる。本発明の製造方法によれば、インタラクティブボード用透過型スクリーンをインラインで連続生産が可能となり、安価で良質なインタラクティブボード用透過型スクリーンを得ることができる。
【００７５】
＜インタラクティブボード＞
上記した透過型スクリーンをインタラクティブボードに適用した例を図２０に示す。インタラクティブボード１３は、スクリーン固定台１１とボード（スクリーン）１０とから構成される。そして、パーソナルコンピュータ等（図示せず）からの画像情報は、投影機６によりレンズ１２を通じてボード（スクリーン）１０の背面から投影され、ボード１０の前面に表示される。ボード１０の前面は、筆記具等により通常のホワイトボードと同様に文字や図形等を描画することができ、また、描いた文字や図形を消すこともできる。本発明の実施態様においては、図２１に示すように、投影機６をスクリーン固定台１１とボード（スクリーン）１０と一体化させたものでもよい。この場合、投影機からの投影光は、反射鏡１２ｂと１２ａとにより反射し、ボード１０の背面側から入射することになる。
【００７６】
上記した本発明によるインタラクティブボートと、マーカーやタッチペン等の入力手段と、パーソナルコンピュータ等の画像情報装置とを少なくとも含むインタラクティブボードシステムは、パーソナルコンピュータとインタラクティブボードとが双方向で情報を伝送できる。例えばパーソナルコンピュータの画像情報をボード上に投影しつつ、ボード上に書き込まれた文字や図形等の情報をパーソナルコンピュータへ伝送することができる。従って、複数のパーソナルコンピュータをインターネットに接続した状態でインタラクティブボードを使用すれば、遠隔地であっても文字や図形等の情報を相互に共有することができるため、テレビ会議システム等との併用により遠隔地にいる者どうしの会議を非常に効率的に行うことができる。
【符号の説明】
【００７７】
１  フレネルレンズシート
２，３４  光拡散部材
３，３５  ハードコート層
４  フレネルレンズ部
５  接着剤層
６  投影機
１０  透過型スクリーン
１１、１１’  ボード取り付け台
１２  レンズ
１２ａ、１２ｂ  反射鏡
２０  拡散層
２１、２１’  基材
２２  微粒子
２３  水平方向視野角拡大部材の光透過部
２４  水平方向視野角拡大部材の光吸収部
２５  水平方向視野角拡大部材の基材
２６  光透過性樹脂
２７  着色粒子
３１  全反射型リニアフレネルレンズ部
３２  透明基材
３３  リニアプリズムレンズ部
５１、５２  金型
６１、６２  バックアップロール
７１、７２  電離放射線硬化型樹脂供給装置
８１、８２  電離放射線照射装置
【図１】
2011118333.tif 000003
【図２】
2011118333.tif 000004
【図３】
2011118333.tif 000005
【図４】
2011118333.tif 000006
【図５】
2011118333.tif 000007
【図６】
2011118333.tif 000008
【図７】
2011118333.tif 000009
【図８】
2011118333.tif 000010
【図９】
2011118333.tif 000011
【図１０】
2011118333.tif 000012
【図１１】
2011118333.tif 000013
【図１２】
2011118333.tif 000014
【図１３】
2011118333.tif 000015
【図１４】
2011118333.tif 000016
【図１５】
2011118333.tif 000017
【図１６】
2011118333.tif 000018
【図１７】
2011118333.tif 000019
【図１８】
2011118333.tif 000020
【図１９】
2011118333.tif 000021
【図２０】
2011118333.tif 000022
【図２１】
2011118333.tif 000023